(57)【要約】【課題】  電子メールを送信しようとする送信ユーザの意図を高い娯楽性のもとに確実に伝えることができるとともに、電子メールの本文の内容に関連のある広告宣伝情報を効率よく配信する。【解決手段】  電子メールサービス提供システムにおいて、運営者サーバは、電子メールを送信しようとするユーザの感情及び／又は行動を表現するように時系列に並べられた複数のコマと、これら複数のコマに続いて当該電子メールの本文の実質的内容に関連した内容とされる広告宣伝情報を示すコマとをつなげて構成されるアニメーション動画データを格納しており、そのようなアニメーション動画データを、本文の実質的内容とした電子メールを作成する。【選択図】  図１
2008226171.tif 000002
【特許請求の範囲】
【請求項１】
携帯電話機によって送受信可能な電子メールサービスを提供する電子メールサービス提供システムであって、
電子メールの送信ユーザが操作する送信ユーザ用携帯電話機と、
上記電子メールの受信ユーザが操作する受信ユーザ用携帯電話機と、
当該電子メールサービス提供システムの運営者が管理する運営者サーバとを備え、
上記運営者サーバは、
電子メールを送信しようとするユーザの感情及び／又は行動を表現するように時系列に並べられた複数のコマと、これら複数のコマに続いて広告宣伝情報を示すコマとをつなげて構成されるアニメーション動画データを格納するデータ格納手段と、
上記送信ユーザ用携帯電話機からのアクセスに応じて、上記送信ユーザが所望するアニメーション動画データを上記データ格納手段から検索する検索手段と、
上記検索手段によって検索されたアニメーション動画データを、本文の実質的内容とした電子メールを作成する電子メール作成手段とを有し、
上記広告宣伝情報は、上記電子メールの本文の実質的内容に関連した内容とされること
を特徴とする電子メールサービス提供システム。
【請求項２】
上記広告宣伝情報は、上記アニメーション動画データによって表現される上記送信ユーザの感情及び／又は行動に関連した内容とされること
を特徴とする請求項１記載の電子メールサービス提供システム。
【請求項３】
上記データ格納手段は、上記アニメーション動画データを所定の条件に応じて分類することによってカテゴリ化して格納していること
を特徴とする請求項１記載の電子メールサービス提供システム。
【請求項４】
携帯電話機間で電子メールを送受信する電子メール送受信方法であって、
電子メールを送信しようとするユーザの感情及び／又は行動を表現するように時系列に並べられた複数のコマと、これら複数のコマに続いて広告宣伝情報を示すコマとをつなげて構成されるアニメーション動画データを所定のサーバ装置に格納しており、
当該電子メール送受信方法は、
上記サーバ装置が、電子メールの送信ユーザが操作する送信ユーザ用携帯電話機からのアクセスに応じて、上記送信ユーザが所望するアニメーション動画データを、格納しているアニメーション動画データの中から検索する検索工程と、
上記サーバ装置が、上記検索工程にて検索されたアニメーション動画データを、本文の実質的内容とした電子メールを作成する電子メール作成工程と、
上記送信ユーザ用携帯電話機が、上記電子メール作成工程にて作成された電子メールを送信する送信工程と、
上記電子メールの受信ユーザが操作する受信ユーザ用携帯電話機が、上記送信工程にて送信された電子メールを受信する受信工程と、
上記受信ユーザ用携帯電話機が、上記受信工程にて受信された電子メールの本文の実質的内容とされたアニメーション動画データを再生する再生工程とを備え、
上記広告宣伝情報は、上記電子メールの本文の実質的内容に関連した内容とされること
を特徴とする電子メール送受信方法。
【請求項５】
携帯電話機によって送受信可能な電子メールサービスを提供する運営者が管理するサーバ装置であって、
電子メールを送信しようとするユーザの感情及び／又は行動を表現するように時系列に並べられた複数のコマと、これら複数のコマに続いて広告宣伝情報を示すコマとをつなげて構成されるアニメーション動画データを格納するデータ格納手段と、
電子メールの送信ユーザが操作する送信ユーザ用携帯電話機からのアクセスに応じて、上記送信ユーザが所望するアニメーション動画データを上記データ格納手段から検索する検索手段と、
上記検索手段によって検索されたアニメーション動画データを、本文の実質的内容とした電子メールを作成する電子メール作成手段とを備え、
上記広告宣伝情報は、上記電子メールの本文の実質的内容に関連した内容とされること
を特徴とするサーバ装置。
【発明の詳細な説明】
【技術分野】
【０００１】
本発明は、携帯電話機によって送受信可能な電子メールサービスを提供する電子メールサービス提供システム、及び、この電子メールサービス提供システムを利用して携帯電話機間で電子メールを送受信する電子メール送受信方法、並びに、これら電子メールサービス提供システム及び電子メール送受信方法に用いられるサーバ装置に関する。
【背景技術】
【０００２】
近年、携帯電話機が著しく普及しているが、かかる普及は、通話機能のみならず、インターネットへの接続や電子メールの授受等の機能を搭載したことが大きな理由とされている。また、このような携帯電話機の普及にともない、携帯電話機による広告配信に関する技術も提案されている（例えば、特許文献１等参照。）
【０００３】
【特許文献１】特開２００１−１７５５５４号公報
【０００４】
具体的には、特許文献１には、電子メール本文に広告宣伝情報を混在して表示させる電子メール広告宣伝システムが開示されている。特に、この電子メール広告宣伝システムは、複数の端末から個人宛に送信される電子メールの中継サーバに予め付加的に広告宣伝情報を登録しておき、発信側からの送信先要求を実行することにより、サーバ側に予め登録されている広告宣伝情報の中から所定の条件で自動選択した広告宣伝情報を、同時追加される電子メールの所定の頁に対して付加し、受信側が送信文章を閲覧したときに、同時に広告宣伝情報を電子メールの当該頁に対して表示させるものである。これにより、この電子メール広告宣伝システムにおいては、電子メールを利用する者、電子メールを仲介するプロバイダ、広告宣伝提供者の３者にとって極めて有効な広告宣伝システムを提供することができるとしている。
【発明の開示】
【発明が解決しようとする課題】
【０００５】
ところで、上述した特許文献１に記載された技術においては、携帯電話機を所有するユーザの属性情報や携帯電話機の位置情報に基づいて、広告宣伝情報を選択して配信することから、電子メールの本文の内容とは無関係の広告宣伝情報が配信されることが多く、受信ユーザにとっては不要な広告宣伝情報を閲覧しなければならない煩わしさがあった。
【０００６】
本発明は、このような実情に鑑みてなされたものであり、電子メールを送信しようとする送信ユーザの意図を高い娯楽性のもとに確実に伝えることができるとともに、電子メールの本文の内容に関連のある広告宣伝情報を効率よく配信することができる電子メールサービス提供システム、及び、この電子メールサービス提供システムを利用して携帯電話機間で電子メールを送受信する電子メール送受信方法、並びに、これら電子メールサービス提供システム及び電子メール送受信方法に用いられるサーバ装置を提供することを目的とする。
【課題を解決するための手段】
【０００７】
上述した目的を達成する本発明にかかる電子メールサービス提供システムは、携帯電話機によって送受信可能な電子メールサービスを提供する電子メールサービス提供システムであって、電子メールの送信ユーザが操作する送信ユーザ用携帯電話機と、上記電子メールの受信ユーザが操作する受信ユーザ用携帯電話機と、当該電子メールサービス提供システムの運営者が管理する運営者サーバとを備える。ここで、上記運営者サーバは、電子メールを送信しようとするユーザの感情及び／又は行動を表現するように時系列に並べられた複数のコマと、これら複数のコマに続いて広告宣伝情報を示すコマとをつなげて構成されるアニメーション動画データを格納するデータ格納手段と、上記送信ユーザ用携帯電話機からのアクセスに応じて、上記送信ユーザが所望するアニメーション動画データを上記データ格納手段から検索する検索手段と、上記検索手段によって検索されたアニメーション動画データを、本文の実質的内容とした電子メールを作成する電子メール作成手段とを有する。そして、上記広告宣伝情報は、上記電子メールの本文の実質的内容に関連した内容とされることを特徴としている。
【０００８】
また、上述した目的を達成する本発明にかかる電子メール送受信方法は、携帯電話機間で電子メールを送受信する電子メール送受信方法であって、電子メールを送信しようとするユーザの感情及び／又は行動を表現するように時系列に並べられた複数のコマと、これら複数のコマに続いて広告宣伝情報を示すコマとをつなげて構成されるアニメーション動画データを所定のサーバ装置に格納している。そして、本発明にかかる電子メール送受信方法は、上記サーバ装置が、電子メールの送信ユーザが操作する送信ユーザ用携帯電話機からのアクセスに応じて、上記送信ユーザが所望するアニメーション動画データを、格納しているアニメーション動画データの中から検索する検索工程と、上記サーバ装置が、上記検索工程にて検索されたアニメーション動画データを、本文の実質的内容とした電子メールを作成する電子メール作成工程と、上記送信ユーザ用携帯電話機が、上記電子メール作成工程にて作成された電子メールを送信する送信工程と、上記電子メールの受信ユーザが操作する受信ユーザ用携帯電話機が、上記送信工程にて送信された電子メールを受信する受信工程と、上記受信ユーザ用携帯電話機が、上記受信工程にて受信された電子メールの本文の実質的内容とされたアニメーション動画データを再生する再生工程とを備え、上記広告宣伝情報は、上記電子メールの本文の実質的内容に関連した内容とされることを特徴としている。
【０００９】
さらに、上述した目的を達成する本発明にかかるサーバ装置は、携帯電話機によって送受信可能な電子メールサービスを提供する運営者が管理するサーバ装置であって、電子メールを送信しようとするユーザの感情及び／又は行動を表現するように時系列に並べられた複数のコマと、これら複数のコマに続いて広告宣伝情報を示すコマとをつなげて構成されるアニメーション動画データを格納するデータ格納手段と、電子メールの送信ユーザが操作する送信ユーザ用携帯電話機からのアクセスに応じて、上記送信ユーザが所望するアニメーション動画データを上記データ格納手段から検索する検索手段と、上記検索手段によって検索されたアニメーション動画データを、本文の実質的内容とした電子メールを作成する電子メール作成手段とを備え、上記広告宣伝情報は、上記電子メールの本文の実質的内容に関連した内容とされることを特徴としている。
【００１０】
このような本発明にかかる電子メールサービス提供システム及び電子メール送受信方法、並びにサーバ装置においては、送信ユーザの感情及び／又は行動を表現するように時系列に並べられた複数のコマと、当該電子メールの本文の実質的内容に関連した内容とされる広告宣伝情報を示すコマとをつなげて構成されるアニメーション動画データを、本文の実質的内容とした電子メールを作成して送信することができる。
【発明の効果】
【００１１】
本発明においては、送信ユーザの意図を高い娯楽性のもとに確実に受信ユーザに伝えることができるとともに、電子メールの本文の実質的内容とは無関係の広告宣伝情報が不要に配信されることによる受信ユーザの煩わしさや不快感を払拭することができ、さらに、ユーザ間のコミュニケーションに応じて、電子メールの本文の実質的内容に関連のある広告宣伝情報を効率よく配信することができる。
【発明を実施するための最良の形態】
【００１２】
以下、本発明を適用した具体的な実施の形態について図面を参照しながら詳細に説明する。
【００１３】
この実施の形態は、携帯電話機によって送受信可能な電子メールサービスを提供する電子メールサービス提供システムである。特に、この電子メールサービス提供システムは、例えば図１に示すように、電子メールを送信しようとするユーザの感情及び／又は行動を表現するように時系列に並べられた複数のコマと、これら複数のコマに続いて広告宣伝情報を示すコマとをつなげて構成されるアニメーション動画データを、本文の実質的内容とした電子メールを作成して送信するサービスを提供するものである。なお、同図においては、待ち合わせの時間に遅れる場合に送信される電子メールの具体例を示している。
【００１４】
電子メールサービス提供システムは、図２に示すように、ユーザが操作する携帯電話機１０，２０と、当該電子メールサービス提供システムの運営者が管理する運営者サーバ３０とを備える。なお、同図においては、２台の携帯電話機１０，２０が設けられている様子を示しているが、これらは電子メールの送受信を行う代表として表したものに過ぎず、電子メールサービス提供システムにおいては、複数の携帯電話機によって利用可能である。以下では、電子メールを送信しようとする送信ユーザが操作する携帯電話機を携帯電話機１０とし、電子メールを受信する受信ユーザが操作する携帯電話機を携帯電話機２０として説明する。
【００１５】
携帯電話機１０，２０は、所定の電子メールアプリケーションプログラムを実行することにより、所定のパケット通信網を介して電子メールの送受信を行うことが可能に構成されている。また、携帯電話機１０，２０は、所定のブラウザアプリケーションプログラムを実行することにより、パケット通信網及びインターネット網を介して運営者サーバ３０に対してアクセスし、後述するように、電子メールの本文とするアニメーション動画データの検索や電子メールの送受信等を行う。
【００１６】
運営者サーバ３０は、当該電子メールサービス提供システムの運営者が管理するコンピュータであり、例えば図３に示すように、各部を統括的に制御するＣＰＵ（Central Processing Unit）３１と、各種プログラムを含む各種情報を格納する読み取り専用のＲＯＭ（Read Only Memory）３２と、ワークエリアとして機能するＲＡＭ（Random Access Memory）３３と、各種情報を読み出し及び／又は書き込み可能に記憶する記憶部３４と、外部のネットワークに接続して通信を行う通信部３５と、ユーザインターフェースとしての図示しない所定の操作デバイスを介した入力操作の処理及び制御を行う入力操作制御部３６と、各種情報を表示する表示部３７とを備えるものとして構成される。
【００１７】
ＣＰＵ３１は、各種プログラムを実行し、各部を統括的に制御する。
【００１８】
ＲＯＭ３２は、各種プログラムをはじめとする各種情報を格納している。このＲＯＭ３２に格納されている情報は、ＣＰＵ３１の制御のもとに読み出される。
【００１９】
ＲＡＭ３３は、ＣＰＵ３１が各種プログラムを実行する際のワークエリアとして機能し、ＣＰＵ３１の制御のもとに、各種情報を一時記憶するとともに、記憶している各種情報を読み出す。
【００２０】
記憶部３４は、例えば、ハードディスクや、これらハードディスクを複数台用いていわゆるＲＡＩＤ（Redundant Arrays of Independent (Inexpensive) Disks）構成とした装置といった所定の記憶装置から構成され、携帯電話機１０，２０によって閲覧可能なウェブサイトのデータや、いわゆるＧＩＦ（Graphics Interchange Format）やフラッシュ（ＦＬＡＳＨ；登録商標）等のファイルフォーマットで作成された広告宣伝情報を含むアニメーション動画データを複数格納している。この記憶部３４に記憶されている各種情報は、ＣＰＵ３１の制御のもとに読み出される。
【００２１】
通信部３５は、各種方式に基づくネットワークに接続するためのインターフェースであり、ＣＰＵ３１の制御のもとに、外部との通信を行う。
【００２２】
入力操作制御部３６は、例えば、キーボード、マウス、キーパッド、赤外線リモートコントローラ、スティックキー、又はプッシュボタンといった、ユーザインターフェースとしての図示しない所定の操作デバイスを介した入力操作を受け付け、操作内容を示す制御信号をＣＰＵ３１に対して供給する。
【００２３】
表示部３７は、例えば、液晶ディスプレイ（Liquid Crystal Display；ＬＣＤ）、プラズマ・ディスプレイ・パネル（Plasma Display Panel；ＰＤＰ）、有機エレクトロルミネッセンス（Organic ElectroLuminescent）ディスプレイ、又はＣＲＴ（Cathode Ray Tube）といった、各種表示デバイスであり、ＣＰＵ３１の制御のもとに、各種画像データや、その他の各種情報を表示する。例えば、表示部３７は、当該電子メールサービス提供システムの運営者がメンテナンスを行う場合に使用されるメンテナンス用画面等を表示する。
【００２４】
このような各部を備える運営者サーバ３０は、ＣＰＵ３１の制御のもとに、電子メールを送信しようとする携帯電話機１０からアクセスされるのに応じて、所定のウェブサイトの画面を当該携帯電話機１０の表示部に表示させる。そして、運営者サーバ３０は、ウェブサイトを介した携帯電話機１０からの要求に応じて、アニメーション動画データの検索や当該携帯電話機１０への表示制御を行う。
【００２５】
このような携帯電話機１０，２０及び運営者サーバ３０を備える電子メールサービス提供システムにおいては、電子メールを送信しようとする送信ユーザが携帯電話機１０を介して運営者サーバ３０に対してアクセスし、先に図１に示したように、送信ユーザの感情及び／又は行動を表現するように時系列に並べられた複数のコマと、これら複数のコマに続いて広告宣伝情報を示すコマとをつなげて構成されるアニメーション動画データを、本文の実質的内容とした電子メールを作成する。
【００２６】
ここで、アニメーション動画データの末尾のコマを構成する広告宣伝情報は、アニメーション動画データによって表現される送信ユーザの感情及び／又は行動に関連した内容とされる。換言すれば、広告宣伝情報は、電子メールの本文の実質的内容に関連した内容とされる。例えば、アニメーション動画データによって表現される送信ユーザの感情及び／又は行動が、相手に元気かどうかを尋ねるような内容である場合には、広告宣伝情報としては、人を元気にさせるような商品を販売している企業や、元気というキーワードを企業理念等に打ち出している企業等が広告主として提供したものとなる。また、アニメーション動画データによって表現される送信ユーザの感情及び／又は行動が、相手に朝の挨拶を伝えるような内容である場合には、広告宣伝情報としては、朝にふさわしい飲料品等を販売している企業等が広告主として提供したものとなる。広告主は、自己の広告宣伝情報を掲載したいアニメーション動画データを決定し、その掲載権を当該電子メールサービス提供システムの運営者から購入することにより、広告宣伝情報をアニメーション動画データの末尾のコマとして組み込むことができる。運営者サーバ３０は、このようにして作成されたアニメーション動画データを記憶部３４に格納する。
【００２７】
そして、電子メールサービス提供システムにおいては、電子メールを送信しようとする送信ユーザが携帯電話機１０を介して運営者サーバ３０から所望のアニメーション動画データを検索して電子メールを作成し、これを所望の相手の携帯電話機２０に対して送信する。電子メールを受信した携帯電話機２０は、表示部にその内容を表示させるとアニメーション動画データを再生する。これにより、受信ユーザは、送信ユーザの感情や行動、すなわち、送信ユーザが電子メールを介して伝えたい意図を確実に理解することができる。また、携帯電話機２０は、アニメーション動画データの末尾のコマとして設けられた広告宣伝情報が受信ユーザによってクリックされるのに応じて、当該広告宣伝情報を提供している広告主のウェブサイトに画面を遷移させる。さらに、受信ユーザは、自らアニメーション動画データを実質的内容とする電子メールを他のユーザに対して送信したいと思った場合には、携帯電話機２０を介して運営者サーバ３０に対してアクセスし、所望のアニメーション動画データを実質的内容とする電子メールを作成し、他のユーザに対して送信することもできる。
【００２８】
電子メールサービス提供システムは、概略的には、このようなサービスを提供することにより、電子メールを送信しようとする送信ユーザの意図を高い娯楽性のもとに確実に伝えることができるとともに、電子メールの本文の実質的内容に関連のある広告宣伝情報を効率よく配信することができる。特に、電子メールサービス提供システムにおいては、例えば図４に示すように、ユーザ間の電子メールの授受、すなわち、ユーザ間のコミュニケーションに応じて、広告宣伝情報が広く配信されることになる。
【００２９】
以下、このような電子メールサービス提供システムにおいて行われる各種操作及び各種処理について説明する。
【００３０】
運営者サーバ３０は、電子メールを送信しようとする携帯電話機１０からのアクセスがあると、ＣＰＵ３１の制御のもとに、例えば図５に示すようなウェブサイトのトップページを当該携帯電話機１０の表示部に表示させる。
【００３１】
このトップページには、運営者サーバ３０が記憶部３４に格納しているアニメーション動画データの一覧を掲載するアニメーション一覧ページへのリンク１０１が設けられている。運営者サーバ３０は、送信ユーザが携帯電話機１０を操作することによってリンク１０１がクリックされるのに応じて、ＣＰＵ３１の制御のもとに、例えば図６に示すように、「あ！」、「愛してる」、「危ない！」、「ありがとう」といったユーザの感情や行動を表す語句からなるアニメーション動画データの名称の一覧が表示されたアニメーション一覧ページを当該携帯電話機１０の表示部に表示させる。
【００３２】
これら各名称は、それぞれ、対応するアニメーション動画データへのリンクとなっており、運営者サーバ３０は、送信ユーザが携帯電話機１０を操作することによっていずれかのリンクがクリックされるのに応じて、ＣＰＵ３１の制御のもとに、例えば図７に示すように、アニメーション動画データをプレビューするためのプレビューページを当該携帯電話機１０の表示部に表示させる。このプレビューページには、ＧＩＦやフラッシュ等のファイルフォーマットで作成された広告宣伝情報を含むアニメーション動画データを表示する動画表示領域１１１と、クリック可能なバナー広告を表示するバナー表示領域１１２と、当該アニメーション動画データの名称を表示する名称表示領域１１３と、当該アニメーション動画データを本文とする電子メールを他のユーザに対して送信するために電子メールアプリケーションプログラムを起動するためのリンク１１４とが設けられている。
【００３３】
運営者サーバ３０は、ＣＰＵ３１の制御のもとに、携帯電話機１０の表示部にこのようなプレビューページを表示させると、アニメーション動画データを再生して動画表示領域１１１にプレビュー表示させる。送信ユーザは、プレビュー表示された内容を閲覧することにより、そのアニメーション動画データを本文の実質的内容とする電子メールを送信するか否かを決定し、送信せずに他のアニメーション動画データを検索する場合には、携帯電話機１０を操作することによって先に図６に示したアニメーション一覧ページへと当該携帯電話機１０の表示画面内容を遷移させる。
【００３４】
一方、運営者サーバ３０は、プレビュー表示を閲覧した送信ユーザがそのアニメーション動画データを本文の実質的内容とする電子メールを送信するものと決定し、携帯電話機１０を操作することによってリンク１１４がクリックされるのに応じて、当該携帯電話機１０に実装されている電子メールアプリケーションプログラムを起動させ、例えば図８に示すように、アニメーション動画データを表示するためのＵＲＬ（Uniform Resource Locator）を本文に記載した電子メール送信画面を表示部に表示させる。すなわち、運営者サーバ３０は、検索したアニメーション動画データを本文の実質的内容とした電子メールを作成する。そして、携帯電話機１０は、送信ユーザが当該携帯電話機１０を操作することによって電子メール送信画面の送信先アドレス欄に送信先の電子メールアドレスが入力されて送信操作が行われると、電子メールを送信する。これに応じて、電子メールを受信した受信ユーザの携帯電話機２０は、例えば図９に示すように、アニメーション動画データを表示するためのＵＲＬを本文に記載した電子メール画面を表示部に表示させる。そして、携帯電話機２０は、受信ユーザが当該携帯電話機２０を操作することによってＵＲＬ部分がクリックされるのに応じて、先に図７に示したプレビューページと同様に構成される動画再生ページを当該携帯電話機２０の表示部に表示させ、アニメーション動画データを再生することになる。
【００３５】
このように、電子メールサービス提供システムにおいては、送信ユーザが携帯電話機１０を介して運営者サーバ３０から所望のアニメーション動画データを検索し、当該アニメーション動画データを本文の実質的内容とした電子メールを作成し、これを所望の相手の携帯電話機２０に対して送信することができる。
【００３６】
なお、運営者サーバ３０は、アニメーション動画データを、ユーザの感情及び／又は行動を表す語句のうち同義語や類義語毎にまとめたり季節やイベント等毎にまとめたりするように、所定の条件に応じて分類することによってカテゴリ化して記憶部３４に格納するのが望ましい。
【００３７】
この場合、運営者サーバ３０は、ＣＰＵ３１の制御のもとに、例えば図１０に示すように、携帯電話機１０の表示部に所定の検索ページを表示させ、送信ユーザが携帯電話機１０を操作することによって検索ページに入力した所望のキーワードに基づいて、該当するアニメーション動画データを検索し、例えば図１１に示すように、検索結果として、該当するアニメーション動画データの名称の一覧が表示されたアニメーション一覧ページを当該携帯電話機１０の表示部に表示させるようにしてもよい。
【００３８】
また、電子メールサービス提供システムにおいては、アニメーション動画データをカテゴリ化して記憶部３４に格納している場合には、携帯電話機１０から運営者サーバ３０に対して電子メールを送信することにより、所望のアニメーション動画データを検索することもできる。すなわち、携帯電話機１０は、電子メールアプリケーションプログラムを起動し、例えば図１２に示すように、送信ユーザが当該携帯電話機１０を操作することによって検索しようとする所望のキーワードを本文に記載した電子メール送信画面を表示部に表示させる。そして、携帯電話機１０は、送信ユーザが当該携帯電話機１０を操作することによって電子メール送信画面の送信先アドレス欄に運営者サーバ３０の電子メールアドレスが入力されて送信操作が行われると、電子メールを送信する。これに応じて、電子メールを受信した運営者サーバ３０は、ＣＰＵ３１の制御のもとに、当該電子メールに記載されたキーワードに基づいて、該当するアニメーション動画データを検索する。そして、運営者サーバ３０は、ＣＰＵ３１の制御のもとに、例えば図１３に示すように、検索結果として、該当するアニメーション動画データの名称の一覧を本文に記載した電子メールを携帯電話機１０に対して送信する。
【００３９】
このように、電子メールサービス提供システムにおいては、アニメーション動画データをカテゴリ化して記憶部３４に格納することにより、送信ユーザが全てのアニメーション動画データの一覧の中から所望のデータを選択する必要がなくなり、検索及び電子メールの送信までの手間を低減することができる。
【００４０】
さらに、電子メールサービス提供システムにおいては、アニメーション動画データをカテゴリ化して記憶部３４に格納することにより、例えば季節やイベント等に応じた特集を容易に設定することが可能となる。具体的には、運営者サーバ３０は、先に図５に示したトップページに、例えばクリスマスや誕生日といったカテゴリに属するアニメーション動画データの一覧を掲載するアニメーション一覧ページへのリンク１０２を設け、送信ユーザが携帯電話機１０を操作することによっていずれかのリンク１０２がクリックされるのに応じて、ＣＰＵ３１の制御のもとに、選択されたカテゴリに属するアニメーション動画データの名称の一覧が表示されたアニメーション一覧ページを当該携帯電話機１０の表示部に表示させることができる。
【００４１】
電子メールサービス提供システムにおいては、このような特集を設定することにより、より娯楽性の高いサービスを提供することができ、ユーザの利用回数が増加するのにともない、結果として、広告宣伝情報をより効率よく配信することが可能となる。
【００４２】
以上説明したように、本発明の実施の形態として示す電子メールサービス提供システムにおいては、送信ユーザの感情及び／又は行動を表現するように時系列に並べられた複数のコマと、当該電子メールの本文の実質的内容に関連した内容とされる広告宣伝情報を示すコマとをつなげて構成されるアニメーション動画データを、本文の実質的内容とした電子メールを作成して送信する。
【００４３】
これにより、この電子メールサービス提供システムにおいては、送信ユーザの意図を高い娯楽性のもとに確実に受信ユーザに伝えることができるとともに、電子メールの本文の実質的内容とは無関係の広告宣伝情報が不要に配信されることによる受信ユーザの煩わしさや不快感を払拭することができ、さらに、ユーザ間のコミュニケーションに応じて、電子メールの本文の実質的内容に関連のある広告宣伝情報を効率よく配信することができる。
【００４４】
なお、本発明は、上述した実施の形態に限定されるものではない。例えば、上述した実施の形態では、２台の携帯電話機１０，２０の間で電子メールの授受を行うものとして説明したが、本発明は、１台の携帯電話機から複数の携帯電話機に対して一斉同報するような場合にも容易に適用することができる。
【００４５】
また、上述した実施の形態では、アニメーション動画データを表示するためのＵＲＬを本文に記載した電子メールを送信するものとして説明したが、本発明は、送信ユーザが選択したアニメーション動画データを受信ユーザが閲覧することができるのであればよい。したがって、電子メールサービス提供システムにおいては、例えば運営者サーバ３０から携帯電話機１０に対してアニメーション動画データをダウンロードして添付ファイルとした電子メールを作成して送信するようにしてもよい。また、電子メールサービス提供システムにおいては、例えば先に図８に示した電子メール送信画面の本文に送信先の電子メールアドレスを入力するとともに、送信先アドレス欄には運営者サーバ３０の電子メールアドレスを入力した電子メールを送信し、この電子メールを受信した運営者サーバ３０が、電子メールの本文に記載されている電子メールアドレス宛に、アニメーション動画データを表示するためのＵＲＬを本文に記載した電子メールを送信する、といったような運営を行うようにしてもよい。
【００４６】
このように、本発明は、その趣旨を逸脱しない範囲で適宜変更が可能であることはいうまでもない。
【図面の簡単な説明】
【００４７】
【図１】本発明の実施の形態として示す電子メールサービス提供システムにおいて送受信される電子メールの具体例を説明する図である。
【図２】本発明の実施の形態として示す電子メールサービス提供システムの構成を説明する図である。
【図３】本発明の実施の形態として示す電子メールサービス提供システムにおける運営者サーバの構成を説明するブロック図である。
【図４】本発明の実施の形態として示す電子メールサービス提供システムにおいて、広告宣伝情報が配信される様子を概念的に説明するための図である。
【図５】本発明の実施の形態として示す電子メールサービス提供システムにおいて、送信ユーザの携帯電話機の表示部に表示されるウェブサイトのトップページの具体例を説明する図である。
【図６】本発明の実施の形態として示す電子メールサービス提供システムにおいて、送信ユーザの携帯電話機の表示部に表示されるウェブサイトのアニメーション一覧ページの具体例を説明する図である。
【図７】本発明の実施の形態として示す電子メールサービス提供システムにおいて、送信ユーザの携帯電話機の表示部に表示されるウェブサイトのプレビューページの具体例を説明する図である。
【図８】本発明の実施の形態として示す電子メールサービス提供システムにおいて、送信ユーザの携帯電話機の表示部に表示される電子メール送信画面の具体例を説明する図である。
【図９】本発明の実施の形態として示す電子メールサービス提供システムにおいて、受信ユーザの携帯電話機の表示部に表示される電子メール画面の具体例を説明する図である。
【図１０】本発明の実施の形態として示す電子メールサービス提供システムにおいて、送信ユーザの携帯電話機の表示部に表示されるウェブサイトの検索ページの具体例を説明する図である。
【図１１】本発明の実施の形態として示す電子メールサービス提供システムにおいて、送信ユーザの携帯電話機の表示部に検索結果として表示されるウェブサイトのアニメーション一覧ページの具体例を説明する図である。
【図１２】本発明の実施の形態として示す電子メールサービス提供システムにおいて、送信ユーザの携帯電話機の表示部に表示される電子メール送信画面の具体例を説明する図であり、検索しようとする所望のキーワードを本文に記載した電子メール送信画面の具体例を説明する図である。
【図１３】本発明の実施の形態として示す電子メールサービス提供システムにおいて、送信ユーザの携帯電話機の表示部に表示される電子メール画面の具体例を説明する図であり、検索結果としてのアニメーション動画データの名称の一覧を本文に記載した電子メール画面の具体例を説明する図である。
【符号の説明】
【００４８】
１０，２０  携帯電話機
３０  運営者サーバ
３１  ＣＰＵ
３２  ＲＯＭ
３３  ＲＡＭ
３４  記憶部
３５  通信部
３６  入力操作制御部
３７  表示部
１０１，１０２，１１４  リンク
１１１  動画表示領域
１１２  バナー表示領域
１１３  名称表示領域
【図１】
2008226171.tif 000003
【図２】
2008226171.tif 000004
【図３】
2008226171.tif 000005
【図４】
2008226171.tif 000006
【図５】
2008226171.tif 000007
【図６】
2008226171.tif 000008
【図７】
2008226171.tif 000009
【図８】
2008226171.tif 000010
【図９】
2008226171.tif 000011
【図１０】
2008226171.tif 000012
【図１１】
2008226171.tif 000013
【図１２】
2008226171.tif 000014
【図１３】
2008226171.tif 000015